(57)【特許請求の範囲】
【請求項１】
口部が破断可能な密封シートにより密封されるカップ状の容器本体と、容器本体の口部に装着される上蓋とを備え、
上蓋は、周壁と、周壁の内周に連設されて密封シートの上方に配設される天面壁と、天面壁の径方向に形成される開口部と、開口部にヒンジ部を介して回動可能に支持される開封刃とを備え、
開封刃は、後部に把持部を有する操作部と、前部に切断刃を有する刃部と、操作部と刃部とを所定範囲で屈曲可能に連結する連結機構とを備え、
刃部と開口部は、刃部前端面を開口前面に係止する係止部を有し、
開封刃は、成形する際に、周壁と刃部前端面との距離を確保するために、操作部がほぼ水平であるのに対して、刃部が連結機構から下方に傾斜した状態で成形されることを特徴とする蓋付きカップ容器。
【請求項２】
連結機構は、刃部後端と操作部前端とを屈曲可能に連結する弾性板と、刃部と操作部とが屈曲状態から伸展すると当接する押圧部とを有することを特徴とする請求項１に記載の蓋付きカップ容器。
【請求項３】
係止部は、刃部前端面に設けられる係止突部と、開口部の開口前面に突出する係止リブとを備えることを特徴とする請求項１または２に記載の蓋付きカップ容器。
【請求項４】
操作部は、開口部の開口側面との間に破断可能な弱化片を有することを特徴とする請求項１〜３のいずれかに記載の蓋付きカップ容器。
【発明の詳細な説明】
【技術分野】
【０００１】
本発明は、密封シートによって密封されたカップ状の容器本体と、開封刃を有する上蓋とを備える蓋付きカップ容器に関し、とくに、開封時、開封刃による開封位置が周壁と近くなるようにした蓋付きカップ容器に関するものである。
【背景技術】
【０００２】
この種のカップ容器として、口部に貼着された密封シートにて密封されるカップ状の容器本体と、該密封シートを覆い隠し容器本体の口部に保持される上蓋とを備え、前記上蓋は、内容物の注出口を形成する開口を有する天壁と、この天壁の開口縁部に配設された基部からなり、前記基部に、屈曲変形可能な薄肉片を介して支持され、該薄肉片の屈曲変形に伴う振り下げ動作にて該開口の直下に位置する密封シートを押し切る開封刃と、該薄肉片の屈曲変形に伴う引き起こしにて該開封刃の後端部を押圧してその振り下げ動作を誘導する操作レバーを設けた上蓋付きカップ容器が従来から知られている（例えば、特許文献１参照）。
【先行技術文献】
【特許文献】
【０００３】
【特許文献１】特開２００７−３１４２３７号公報
【発明の概要】
【発明が解決しようとする課題】
【０００４】
しかしながら、上記特許文献１記載の上蓋付きカップ容器では、図３（ａ）に示すように、２点鎖線で示す開封刃Ｅと上蓋Ｂの周壁６との距離ｄ１が小さいと、成型する際に、開封刃Ｅの切断刃３１と周壁６との間の金型の厚みが薄くなり、金型が破損しやすくなるために、開封刃Ｅと周壁６との距離を一定以上離して金型の破損を防止しなければならないという問題があった。
また、開封刃Ｅの切断刃３１と周壁６との距離を離すと、図３（ｃ）に示すように、開封時に、２点鎖線で示す切断刃３１による密封シート３の開封位置が周壁６から離れてしまい、内容物の残量が多くなるという問題もあった。
【０００５】
本発明は、上記問題を解決することを課題とし、カップ状の容器本体に装着される上蓋に回動可能に連結される開封刃を、上蓋の周壁との距離を一定以上離して成型しても、開封時に、密封シートの開封位置が周壁と近くなるようにした蓋付きカップ容器を提供することを目的とする。
【課題を解決するための手段】
【０００６】
本発明は、上記の課題を解決するため、蓋付きカップ容器として、口部が破断可能な密封シートにより密封されるカップ状の容器本体と、容器本体の口部に装着される上蓋とを備え、上蓋は、周壁と、周壁の内周に連設されて密封シートの上方に配設される天面壁と、天面壁の径方向に形成される開口部と、開口部にヒンジ部を介して回動可能に支持される開封刃とを備え、開封刃は、後部に把持部を有する操作部と、前部に切断刃を有する刃部と、操作部と刃部とを所定範囲で屈曲可能に連結する連結機構とを備え、刃部と開口部は、刃部前端面を開口前面に係止する係止部を有し、開封刃は、成形する際に、周壁と刃部前端面との距離を確保するために、操作部がほぼ水平であるのに対して、刃部が連結機構から下方に傾斜した状態で成形されることを特徴とする構成を採用する。
【０００７】
蓋付きカップ容器の具体的実施形態として、連結機構は、刃部後端と操作部前端とを屈曲可能に連結する弾性板と、刃部と操作部とが屈曲状態から伸展すると当接する押圧部とを有することを特徴とする構成を採用する。
【０００８】
蓋付きカップ容器のさらなる具体的実施形態として、係止部は、刃部前端面に設けられる係止突部と、開口部の開口前面に突出する係止リブとを備えることを特徴とする構成を採用し、また、操作部は、開口部の開口側面との間に破断可能な弱化片を有することを特徴とする構成を採用する。
【発明の効果】
【０００９】
本発明の蓋付きカップ容器は、上記構成を採用し、操作部がほぼ水平であるのに対して、刃部が連結機構から下方に傾斜した状態で開封刃を成型することにより、刃部と周壁との距離を十分に確保することが可能となり、金型への負荷を軽減することができるという顕著な効果を奏する。
また、開封刃による密封シートの開封位置は、従来よりも周壁に近づけることができるので、内容物の残量を少なくすることができる。
【図面の簡単な説明】
【００１０】
【図１】実施例の蓋付きカップ容器の上蓋を示す図であり、（ａ）は上面図、（ｂ）は断面図である。
【図２】実施例の蓋付きカップ容器を示す図であり、（ａ）は開封操作を開始する前の状態を示す断面図であり、（ｂ）は開封操作を開始した状態を示す断面図である。
【図３】実線で示す実施例および２点鎖線で示す従来例の開封刃の要部断面拡大図であり、（ａ）は成型時の断面拡大図、（ｂ）は開封前の断面拡大図、（ｃ）は開封時の拡大図である。
【発明を実施するための形態】
【００１１】
次に、本発明の蓋付きカップ容器について、実施例を示した図面を参照して説明する。
【実施例】
【００１２】
図１および２において、Ａはカップ状の容器本体、Ｂは上蓋、Ｃは開封刃である。
本実施例の蓋付きカップ容器は、容器本体Ａと、容器本体Ａの口部１を覆って装着される上蓋Ｂとからなり、上蓋Ｂには開封刃Ｃが一体に設けられている。
なお、以下の説明において、図１（ｂ）でみて、上方向を「上」とし、下方向を「下」とし、左方向を「前」とし、右方向を「後」とする。
【００１３】
図２に示すように、容器本体Ａは、口部１から内容物が充填された後、容器内部を密封するために、口部１の周縁から周設されるフランジ部２に密封シート３が貼着されている。
なお、容器本体Ａに充填される内容物として、コーヒーや紅茶などの飲料が好ましいが、飲料以外の食品など、種々の内容物を充填して利用することもできる。
【００１４】
図１に示すように、上蓋Ｂは、容器本体Ａのフランジ部２と液密状態で嵌合する装着筒部５と、装着筒部５の上部に立設される周壁６と、周壁６の内周に連設されて密封シート３の上方に配置される天面壁７とを備えている。
天面壁７には、径方向に横断する長い略長方形の開口部Ｓが形成され、開口部Ｓには、開口側面８からＬ字状溝部９により区画される支持部１０によって天面壁７に連設される開封刃Ｃが配設されている。
【００１５】
開封刃Ｃは、径方向を長手方向とする全体として略板状をなしており、開封刃Ｃは、前部に下向きに折曲する切断刃１１と、後部に手指が下面に入りやすいように若干高く形成される把持部１２とを有し、両側端面１３は、天面壁７との間に開口部Ｓの開口側面８とわずかな隙間を隔てている。
開封刃Ｃは、長手方向の略中央付近に設けられた支持部１０よりも前方で、切断刃１１を有する刃部１４と、把持部１２を有する操作部１５とが、後述する連結機構を介して連結されている。
なお、把持部１２は手指でつかみやすい形状であれば、どのような形状でもよく、手指を挿入する孔を設けてもよいし、開口部Ｓとの隙間が手指を挿入するに十分に大きければ操作部１５全体を平板状にしても構わない。
【００１６】
開封刃Ｃの連結機構は、開封刃Ｃの幅方向両側に設けられ、刃部１４後端の下部と操作部１５前端の下部とを連結する屈曲変形可能な弾性板１７と、弾性板１７の刃部１４側に設けられる押圧部１６とからなり、一体に成形されている。
なお、本実施例では、弾性板１７の刃部１４側に押圧部１６を設けているが、逆に、操作部１５側に押圧部１６を設けてもよいし、刃部１４側と操作部１５側の両側に設けてもよい。
以上のように構成されていることから、連結機構は、刃部１４の押圧部１６と操作部１５の前端押圧面１５ａとが離れて刃部１４と操作部１５とが屈曲している場合は、刃部１４の押圧部１６と操作部１５の前端押圧面１５ａとが当接するまで弾性板１７を変形させることができるとともに、刃部１４の押圧部１６と操作部１５の前端押圧面１５ａとが当接している場合は、図２（ｂ）に示すように、直線状に伸展された刃部１４と操作部１５とを一体に動かすことができる。
なお、連結機構は、所定の強度を有し、上述のように刃部１４と操作部１５とが屈曲状態と伸展状態をとることができるものであれば、どのような機構でも構わない。
【００１７】
開封刃Ｃを成型する際は、図１（ｂ）に示すように、操作部１５がほぼ水平であるのに対して、図３（ａ）に示すように、周壁６と実線で示す刃部１４との距離ｄ２を確保するために、刃部１４は、連結機構の弾性板１７から下方に傾斜した状態で成型されている。
【００１８】
図１に示すように、開封刃Ｃの長手方向中央付近には、両側端面１３から一対の支持部１０が外方に突設され、一対の支持部１０は、前方上端部でそれぞれ薄肉のヒンジ部２０によって天面壁７に回動可能に連設されている。
なお、本実施例では、ヒンジ部２０は、支持部１０の前方上端部で天面壁７と連設しているが、開封刃Ｃの回動を許容するものであれば必ずしも支持部１０の前方に配置される必要はなく、支持部１０の後方に配置されるものであってもよい。
【００１９】
刃部前端面１４ａには、係止突部２１が設けられ、天面壁７の開口前面１８には、所定長さで水平方向に突出する係止リブ２２が形成され、上蓋Ｂの成型後に開封刃Ｃを開口部Ｓにセットする際に刃部１４を上方に持ち上げると、係止突部２１は、係止突部２１の前方に向き合う係止リブ２２に係合するようになっている。
係止突部２１と係止リブ２２は、本発明の係止部を構成しており、本実施例では、刃部前端面１４ａおよび開口前面１８に設けられた突部同士で係止するようにしているが、刃部前端面１４ａと開口前面１８のうち、いずれか一方に突部を設けるとともに、他方に凹部を設けるようにしてもよく、あるいは、いずれか一方だけに突部を設け、他方と摩擦係合するようにしても構わない。
以上のように、刃部１４と開口前面１８を係止する係止部としては、開封刃Ｃを成型後に、開口部Ｓの開口前面１８に係止することができるものであれば、種々の係止形態を採用することが可能である。
【００２０】
開封刃Ｃの操作部１５には、両側端面１３と、両側端面１３に向き合う開口側面８との間に、破断可能な一対の弱化片２３が形成され、誤って操作部１５に力が加わったり容器を落下させたりして、不用意に開封刃Ｃが回動しないようにしている。
なお、本実施例では、開封刃Ｃの不用意な回動を防止するものとして、両側端面１３に設ける一対の弱化片２３としたが、両側端面１３に限らず開口部Ｓに面した天面壁７の適宜箇所に弱化片２３を設けてもよく、一対でなく１つだけでも構わない。
【００２１】
また、操作部１５の下面には、先端が斜めにカットされる円筒状の切刃筒２４が設けられている。
さらに、蓋付きカップ容器には、上蓋Ｂに着脱可能な図示しないカバーキャップを取り付け、開封前における開封刃Ｃの誤動作を防止するとともに、上蓋Ｂの内側を清潔に保つようにすることもできる。
【００２２】
次に、本実施例の使用態様と作用効果について図面を参照しながら説明する。
図１に示すように、上蓋Ｂおよび開封刃Ｃは、操作部１５がほぼ水平であるのに対して、刃部１４が連結機構の弾性板１７から下方に傾斜した状態で一体成型により製造される。
図３（ａ）の実線で示す状態で成型された開封刃Ｃは、刃部１４の前部を持ち上げ、弾性板１７を屈曲変形させることにより、図３（ｂ）に示すように、刃部１４の押圧部１６と操作部１５の前端押圧面１５ａとが当接しない範囲で刃部前端面１４ａの係止突部２１を開口前面１８の係止リブ２２に係合させることができる。
これにより、図２（ａ）に示すように、開封刃Ｃは、把持部１２の両側端面１３と、両側端面１３に向き合う開口側面８との間に、破断可能な一対の弱化片２３が形成されるとともに、周壁６が切断刃１１に近接しており、誤って手が触れることを防止しているので、開封刃Ｃは、不用意に回動することなく、開封前の状態に保たれるようになっている。
【００２３】
つぎに、蓋付きカップ容器を開封するには、図２（ａ）に示す状態から把持部１２に手指をかけて操作部１５を上方に引き上げると、開封刃Ｃの両側端面１３と天面壁７の開口側面８との間に設けられた弱化片２３が破断され、操作部１５は、支持部１０を介してヒンジ部２０を変形させながらヒンジ部２０を支点に回動を始める。
すると、操作部１５は、連結機構としての弾性板１７を屈曲変形させながら、前端押圧面１５ａが刃部１４の押圧部１６と当接し、刃部１４と操作部１５とが直線状に伸展し一体化した状態となって、図３（ｃ）の実線で示すように、刃部前端面１４ａの係止突部２１を開口前面１８の係止リブ２２から離脱させ、開封刃Ｃは、ヒンジ部２０を支点に回動を始め、図２（ｂ）に示すように、切断刃１１が密封シート３を押し切って開封するようになる。
【００２４】
その後、操作部１５を元の位置に戻すように押し下げ方向に操作すると、刃部１４は、連結機構の弾性板１７が成型時の状態に戻ろうとするため、図３（ｃ）の実線で示すように、それまで当接していた刃部１４の押圧部１６と操作部１５の前端押圧面１５ａとが離反し始めることにより、刃部１４は、弾性板１７を支点として開封刃Ｃを屈曲させていく。
さらに、操作部１５を押し下げていくと、図１（ｂ）に示すように、ヒンジ部２０は、操作部１５の回動による変形が解消されることにより、その後は使用者が手を離しても、水平状態にある操作部１５と下方に傾斜した状態にある刃部１４は、屈曲した安定状態にあるので、切断刃１１が上方に持ち上がるのを阻止することができる。
【００２５】
このように、本実施例の蓋付きカップ容器は、開封刃Ｃのヒンジ部２０から切断刃１１までの長さを周壁６に近づけても、図３（ａ）の実線で示すように、刃部１４を操作部１５に対して下方に傾斜した状態で成型することにより、刃部１４と周壁６との距離ｄ２を十分確保することが可能となり、金型への負荷を軽減することができる。
また、開封刃Ｃによる密封シート３の開封位置は、図３（ｃ）に示すように、本実施例の実線で示す切断刃１１は、従来例の２点鎖線で示す切断刃３１よりも周壁６に近づけることができるので、内容物の残量を少なくすることができる。
さらに、上蓋Ｂは、開封刃Ｃとともに合成樹脂により一体成形することができるから、成形も容易で清潔な容器とすることができる。
【産業上の利用可能性】
【００２６】
本実施例の蓋付きカップ容器は、上蓋に密封シートを破断する開封刃が付いているので容器を簡単かつ清潔に開封することができるから、飲料、食品などを充填する容器として広く利用することができる。
とくに、本実施例の蓋付きカップ容器は、内容物を注出する際に、開封刃が上蓋の周壁により近い位置で開封することができるから、コーヒーや紅茶など、直接唇をつけて飲む飲料などの用途に適用した好適な容器である。
【符号の説明】
【００２７】
Ａ              容器本体
Ｂ              上蓋
Ｃ、Ｅ          開封刃
Ｓ              開口部
１              口部
２              フランジ部
３              密封シート
５              装着筒部
６              周壁
７              天面壁
８              開口側面
９              Ｌ字状溝部
１０              支持部
１１、３１        切断刃
１２              把持部
１３              両側端面
１４              刃部
１４ａ            刃部前端面
１５              操作部
１５ａ            前端押圧面（連結機構）
１６              押圧部（連結機構）
１７              弾性板（連結機構）
１８              開口前面
２０              ヒンジ部
２１              係止突部（掛止部）
２２              係止リブ（掛止部）
２３              弱化片
２４              切刃筒
【図１】
0006689531.tif 000002
【図２】
0006689531.tif 000003
【図３】
0006689531.tif 000004